(57)【特許請求の範囲】
【請求項１】
壁面に固定される水密性を備えたケーシング内にバックライトを備えた液晶表示部が収納された浴室用テレビにおいて、上記ケーシングの裏面に開口部を設けると共にその開口部を金属板で水密に閉塞し、ケーシングを壁面に固定する際に壁面とこの金属板との間に伝熱材を介在させ、ケーシング内の熱を上記金属板から伝熱材を通して壁面に逃がすように構成したことを特徴とする浴室用テレビ。
【請求項２】
上記伝熱材は弾性変形するものであって、上記金属板を上記開口部の周縁に外側から貼着し、ケーシングを壁面に取りつけた状態で伝熱材の復元力が金属板をこの開口部の周縁に押し付ける方向に作用することを特徴とする請求項１に記載の浴室用テレビ。
【発明の詳細な説明】
【技術分野】
【０００１】
本発明は、浴室の壁面に固定される浴室用テレビに関し、特に浴室の壁面に固定される蓋体と、この蓋体に対して水密に接合されるケーシング本体とからなるケーシングを備えた浴室用テレビに関する。
【背景技術】
【０００２】
入浴中にテレビ画像を鑑賞したいという要求があり、近年浴室用テレビが多数提案されている。このような浴室用テレビは湯水が常にかかる環境に晒されるため、ケーシング内部に湯水が入らないように水密構造にしなければならない。
【０００３】
一方、ケーシング内に収納される液晶表示ユニットに使用される液晶表示部材は近年安価に大型のものが製造されるようになってきた。これに伴い、液晶表示ユニットのバックライト部分で生じる発熱量も増加してきている。
【０００４】
このようなバックライト部分で発生する熱を拡散するため、金属製の放熱板を液晶表示ユニットの背部に当接してバックライト部分の発する熱をケーシング内に放熱するようにしたものが知られている（例えば、特許文献１参照）。
【先行技術文献】
【特許文献】
【０００５】
【特許文献１】特開２００５−３１８１１４号公報（請求項２）
【発明の概要】
【発明が解決しようとする課題】
【０００６】
上記従来の浴室夜テレビではバックライト部分から多量の熱が発生するので、例え放熱板でその熱を放熱したとしても、その熱はケーシング内の空気に伝達されるだけであって、ケーシングが水密構造であるため、その内部空気が換気されないので、ケーシング内の温度が高温になるという不具合が生じる。
【０００７】
そこで本発明は、上記の問題点に鑑み、ケーシングの水密性を即なうこと無く、ケーシング内の温度上昇を抑制することのできる浴室用テレビを提供することを課題とする。
【課題を解決するための手段】
【０００８】
上記課題を解決するために本発明による浴室用テレビは、壁面に固定される水密性を備えたケーシング内にバックライトを備えた液晶表示部が収納された浴室用テレビにおいて、上記ケーシングの裏面に開口部を設けると共にその開口部を金属板で水密に閉塞し、ケーシングを壁面に固定する際に壁面とこの金属板との間に伝熱材を介在させ、ケーシング内の熱を上記金属板から伝熱材を通して壁面に逃がすように構成したことを特徴とする。
【０００９】
壁面の一部であってケーシングが取りつけられている部分は、バックライト部分が作動している状態でのケーシング内部の温度より低温である。そのため、温度勾配はケーシング内部が高く壁面が低くなり、ケーシング内部の熱は金属板および伝熱材を通って壁面へと伝熱され逃げていく。
【００１０】
なお、上記伝熱材は弾性変形するものであって、上記金属板を上記開口部の周縁に外側から貼着し、ケーシングを壁面に取りつけた状態で伝熱材の復元力が金属板をこの開口部の周縁に押し付ける方向に作用するように構成すれば、金属板の貼着部分での水密性が損なわれにくい。
【発明の効果】
【００１１】
以上の説明から明らかなように、本発明は、ケーシング内の熱をケーシングが取りつけられている壁面に逃がすのでケーシング内の温度上昇を抑制することができる。
【図面の簡単な説明】
【００１２】
【図１】浴室用テレビの壁面への設置状態を示す図
【図２】浴室用テレビの外観を示す斜視図
【図３】浴室用テレビの内部構造を示す図
【図４】放熱部分の詳細を示す断面図
【発明を実施するための形態】
【００１３】
図１を参照して、ＢＲは浴室であり、この浴室ＢＲの壁面Ｗには浴室用テレビ１が取り付けられている。この浴室用テレビ１は、図２に示すように、壁面Ｗに固定される蓋体３と、この蓋体３に対して水密になるように接合されたケーシング本体２とからなるケーシングを備えている。なお、１１はケーシング本体２と蓋体３とが相互に接合された状態で前方、すなわちケーシング本体２側から着脱自在に取り付けられる化粧用のカバーである。
【００１４】
この浴室用テレビ１はケーシング本体２の正面に、この正面の多くの面積を示す窓部１２が形成されており、ケーシング内部に収納された液晶表示ユニットの画面がこの窓部１２に臨むように設定されている。
【００１５】
ケーシング本体２と蓋体３とを相互に接合する前に、ケーシング本体２に液晶表示ユニット５や各種のプリント配線板６１，６２を取り付けなければならない。本発明では、これらを取り付ける際に合わせて補強板４をケーシング本体２に取り付けることとした。
【００１６】
ケーシング本体２および蓋体３は共に熱可塑性の樹脂で射出成型されている。一方、補強板４は金属製であり、金属製の薄板を板金加工することにより成形されている。上述の液晶表示ユニット５は図示しないがユニット化されており、テレビ画面を表示する画面が窓部１２に臨むように取り付けられるので、液晶表示ユニット５のバックライトは後側に位置することになる。そして液晶表示ユニット５の後方には補強板４が位置し、液晶表示ユニット５の後面はこの補強板４に当接することになる。
【００１７】
すると、液晶表示ユニット５内のバックライトからの発熱は補強板４に伝達される。補強板４は上述の通り金属製であるので、伝達された熱は補強板４の全域にすばやく伝導されて、その後に放熱される。
【００１８】
ところで、ケーシング本体２の内面に窓部１２を囲むように４個所にネジ止め用の取付座部２１を立設した。この４の取付座部２１は補強板４を介して一体に補強されるので窓部１２の周囲の強度が上がる。そのため、ケーシング本体２に蓋体３を接合した後で窓部１２近傍を前方から押しても補強板４が取付座部２１に固定されているのでケーシング本体２が凹むなどの変更が生じない。
【００１９】
補強板４にはプリント配線板６１，６２を取り付けるための座部４３が形成されている。従って、補強板４をケーシング本体２に固定した後に、これらプリント配線板６１，６２はプリント配線板６１，６２の取付用のブラケットとして機能する。
【００２０】
さらに、補強板４には補強板４の下方に配置されるコネクタに連結されたリード線が引き出される開口４４が形成されている。この開口４４には図５に示すように、１対の押さえ爪が形成されている。コネクタは補強板４の下部に位置するプリント配線板５１に取り付けられており、リード線はこのプリント配線板５１と、補強板４の上部に取り付けられるプリント配線板６１とを連結するものである。
【００２１】
補強板４をケーシング本体２に固定すると、押さえ爪がコネクタを上方から押さえる。この状態では外部からの振動や衝撃が加わってもコネクタが緩んだり、外れるような不具合がまったく生じない。
【００２２】
図４を参照して、ケーシング本体２の背面に開口７を形成して、その開口７の周縁７１に対して外側から金属板８を貼着して開口７を水密に閉塞した。そして、伝熱性を備えた樹脂からなる伝熱材９を壁面Ｗと金属板８との間に挟むようにしてケーシング本体２を壁面Ｗに固定した。なお、上記補強板４が高温になるので、補強板４と金属板８との間にも同様の伝熱材９１を介在させた。
【００２３】
このように構成することによって、高温になった補強板４から伝熱材９１を介して金属板８に熱が流れ、さらにその熱は伝熱材９を介して壁面Ｗへと逃げ、ケーシング本体２の内部の温度上昇が緩和されることになる。
【００２４】
なお、本発明は上記した形態に限定されるものではなく、本発明の要旨を逸脱しない範囲内において種々の変更を加えてもかまわない。
【符号の説明】
【００２５】
１  浴室用テレビ
２  ケーシング本体
３  蓋体
４  補強板
５  液晶表示ユニット
７  開口
８  金属板
９  伝熱材
ＢＲ  浴室
Ｗ  壁面
【図１】
0006489786.tif 000002
【図２】
0006489786.tif 000003
【図３】
0006489786.tif 000004
【図４】
0006489786.tif 000005